(57)【特許請求の範囲】
【請求項１】
ビデオカメラ本体に少なくとも１つの撮像部と該撮像部で撮像された映像を表示するモニタ部を有すると共に、上記ビデオカメラ本体に、立体写真型の３次元立体映像信号を、フィールド毎に交互に右眼用、左眼用の映像信号が入った３次元立体映像信号に変換する３次元立体映像信号変換装置を設けたビデオカメラ装置であって、
上記撮像部の撮影レンズの前方に、片方の眼用の映像を画面の右半分に、他方の眼用の映像を画面の左半分に、それぞれ映るようにした立体写真撮影用アダプタを備え、この立体写真撮影用アダプタを介して上記撮像部で立体写真型の３次元立体映像を撮影すると共に、上記撮像部からの上記立体写真型の映像出力を、上記３次元立体映像信号変換装置により処理して、画面の最大限の大きさに拡大されたフィールド毎に交互に右眼用、左眼用の映像信号が入った３次元立体映像信号に変換するように構成して、１つの上記ビデオカメラ本体だけで、フィールド毎に交互に右眼用、左眼用の映像信号が入った３次元立体映像信号が出力されるように構成すると共に、
上記ビデオカメラ本体のスイッチを切り換えることにより、上記処理された後の映像がどこまで写っているかを表示した上記立体写真型の３次元立体映像を上記モニタ部に映すように構成したことを特徴とするビデオカメラ装置。
【請求項２】
ビデオカメラ本体に少なくとも１つの撮像部と該撮像部で撮像された映像を表示するモニタ部を有すると共に、上記ビデオカメラ本体に、立体写真型の３次元立体映像信号を、右眼用の映像信号と左眼用の映像信号の２つの独立した映像信号からなる３次元立体映像信号に変換する３次元立体映像信号変換装置を設けたビデオカメラ装置であって、上記撮像部の撮影レンズの前方に、片方の眼用の映像を画面の右半分に、他方の眼用の映像を画面の左半分に、それぞれ映るようにした立体写真撮影用アダプタを備え、この立体写真撮影用アダプタを介して上記撮像部で立体写真型の３次元立体映像を撮影すると共に、上記撮像部からの上記立体写真型の映像出力を、上記３次元立体映像信号変換装置により処理して、右眼用の画面の最大限の大きさに拡大された映像信号と、左眼用の画面の最大限の大きさに拡大された映像信号からなる２つの映像信号に変換するように構成して、１つの上記ビデオカメラ本体だけで、右眼用の映像信号と左眼用の映像信号の２つの独立した映像信号からなる３次元立体映像信号が出力されるように構成すると共に、
上記ビデオカメラ本体のスイッチを切り換えることにより、上記処理された後の映像がどこまで写っているかを表示した上記立体写真型の３次元立体映像を上記モニタ部に映すように構成したことを特徴とするビデオカメラ装置。
【発明の詳細な説明】
【０００１】
【発明の属する技術分野】
この発明は、いわゆる「立体写真（ステレオペア）」のように撮影したビデオ画像を処理することにより、フィールド毎に交互に右眼用、左眼用の映像信号が入った３次元立体映像信号や、右眼用の映像信号と左眼用の映像信号の２つの独立した映像信号からなる３次元立体映像信号を出力させるようにすると共に、処理された後の映像がどこまで写っているかを表示した立体写真型の３次元立体映像をモニタ部に映すように構成したビデオカメラ装置に関するものである。
【０００２】
【従来の技術】
いわゆる立体テレビなどの３次元立体視視覚装置が開発されても、これを見るための３次元（３Ｄ）用のソフトウェアを自分で撮影したり、記録再生するには、ビデオカメラ装置自体や撮影方法、ビデオテープレコーダ（ＶＴＲ）の取り扱いなどが大変であり、簡易的な方法が求められている。
【０００３】
３次元の立体映像を撮影するためには、通常２台のビデオカメラを、その撮影レンズを人間の両眼の幅（通常約６５ｍｍ）離して設置して行なう。この場合、特性の合った２台のビデオカメラを用意し、撮影レンズが眼幅だけ離れた状態にしっかりと固定する必要がある。しかもこの２つのビデオカメラから出る映像信号を、同期して動く２つのＶＴＲで記録再生する必要があった。
【０００４】
もっとも、現在ではいわゆるＷ−ＶＨＳのように、１本のテープで２つの映像信号を同時に録画できる機器が市販されているので、これを使って録画再生してやってもよい。この２つの映像信号を立体視するには、たとえば２台のビデオプロジェクタを用いて、互いに偏光方向が直交する投射光としてスクリーンに投影し、これに対応する偏光フィルタの付いた偏光眼鏡をかけて見る方法が知られている。
【０００５】
更に上記記録再生を簡単にする方法としては、左眼用、右眼用の２つの映像信号を、フィールド毎に交互に左眼用、右眼用の映像がくるようにした一つの映像信号にする技術が知られている。この信号をテレビ画面上に映し出し、同期して交互に片方の眼を塞ぐようにしたシャッタ付き眼鏡をかけて見れば立体視できるわけである。
【０００６】
また、もっと簡易的な撮影方法としては、画面の右半分、左半分に、光学的手法により右眼用、左眼用の映像を映し出す、いわゆる「立体写真」のような形でビデオ撮影する手法を用いることである。さらに、「立体写真」を写真機でスライドを撮影するアダプタおよびビューワも市販されている。このアダプタで撮ると、右眼用は画面右半分に、左眼用は左半分に映されるので、小さなテレビ画面で２つの画面の中心のズレが眼幅以下ならば裸眼立体視が可能となる。さらにまた、もっと大画面の場合は、クサビ型の特殊レンズを付けて見ればよい（特開昭５９−３０３９０号公報参照）。
【０００７】
【発明が解決しようとする課題】
しかしながら、上記従来の２台のビデオカメラを使う立体映像の撮影法では、２台の撮影レンズを眼幅だけ常に離しておくために、２台をがっちりと一体に固定しておく必要があった。そのためにはしっかりした三脚などに載せて撮影することになり、機動性にはなはだ乏しく、また手持ちの撮影などはできなかった。さらにズームアップなどしようと、２台を連動してレンズを動かす必要があり、操作が煩雑であった。また、特性の合った２台のビデオカメラが必要であり、使用者には経済的にも大きな負担をしいるものであるという不都合があった。
【０００８】
これに対して、１台のビデオカメラで立体写真的な撮影をすれば良いことになるが、この方法で撮った映像を見るには、テレビ画面の中央に顔を置く必要があり、見る位置が限定された。しかも画面を右左で半分に割った縦長の映像しか見えないという不都合があった。また、大きい画面の場合、クサビ型の特殊レンズを眼にかける必要があった。
【０００９】
そこで、この発明は、画面の右半分、左半分に、光学的手法により右眼用、左眼用の映像を映し出す、いわゆる「立体写真」のような形でビデオ撮影する手法によって撮られた形の映像信号を、フィールド毎に交互に右眼用、左眼用の映像が入った映像信号にが変換したり、または右眼用、左眼用の２つの独立した映像信号に変換したりすると共に、処理された後の映像がどこまで写っているかを表示した立体写真型の３次元立体映像をモニタ部に映すようにしたビデオカメラ装置を提供するものである。
【００１０】
【課題を解決するための手段】
この発明のビデオカメラ装置は、ビデオカメラ本体に少なくとも１つの撮像部と該撮像部で撮像された映像を表示するモニタ部を有すると共に、上記ビデオカメラ本体に、立体写真型の３次元立体映像信号を、フィールド毎に交互に右眼用、左眼用の映像信号が入った３次元立体映像信号に変換する３次元立体映像信号変換装置を設けたビデオカメラ装置であって、上記撮像部の撮影レンズの前方に、片方の眼用の映像を画面の右半分に、他方の眼用の映像を画面の左半分に、それぞれ映るようにした立体写真撮影用アダプタを備え、この立体写真撮影用アダプタを介して上記撮像部で立体写真型の３次元立体映像を撮影すると共に、上記撮像部からの上記立体写真型の映像出力を、上記３次元立体映像信号変換装置により処理して、画面の最大限の大きさに拡大されたフィールド毎に交互に右眼用、左眼用の映像信号が入った３次元立体映像信号に変換するように構成して、１つの上記ビデオカメラ本体だけで、フィールド毎に交互に右眼用、左眼用の映像信号が入った３次元立体映像信号が出力されるように構成すると共に、上記ビデオカメラ本体のスイッチを切り換えることにより、上記処理された後の映像がどこまで写っているかを表示した上記立体写真型の３次元立体映像をモニタ部に映すように構成したことを特徴とする。
【００１１】
または、ビデオカメラ本体に少なくとも１つの撮像部と該撮像部で撮像された映像を表示するモニタ部を有すると共に、上記ビデオカメラ本体に、立体写真型の３次元立体映像信号を、右眼用の映像信号と左眼用の映像信号の２つの独立した映像信号からなる３次元立体映像信号に変換する３次元立体映像信号変換装置を設けたビデオカメラ装置であって、上記撮像部の撮影レンズの前方に、片方の眼用の映像を画面の右半分に、他方の眼用の映像を画面の左半分に、それぞれ映るようにした立体写真撮影用アダプタを備え、この立体写真撮影用アダプタを介して上記撮像部で立体写真型の３次元立体映像を撮影すると共に、上記撮像部からの上記立体写真型の映像出力を、上記３次元立体映像信号変換装置により処理して、右眼用の画面の最大限の大きさに拡大された映像信号と、左眼用の画面の最大限の大きさに拡大された映像信号からなる２つの映像信号に変換するように構成して、１つの上記ビデオカメラ本体だけで、右眼用の映像信号と左眼用の映像信号の２つの独立した映像信号からなる３次元立体映像信号が出力されるように構成すると共に、上記ビデオカメラ本体のスイッチを切り換えることにより、上記処理された後の映像がどこまで写っているかを表示した上記立体写真型の３次元立体映像を上記モニタ部に映すように構成したことを特徴とする。
【００１２】
【発明の実施の形態】
以下、この発明の具体的な実施の形態例について図面を参照して説明する。
【００１３】
図１及び図３は、この発明の第１の実施形態例のビデオカメラ装置１及び該ビデオカメラ装置１のビデオカメラ本体２に接続された３次元立体映像信号変換装置４０を示す。このビデオカメラ装置１は、そのビデオカメラ本体２の前側に立体写真撮影用アダプタ２０を着脱自在に取付けると共に、該ビデオカメラ本体２の後側に立体視用ビューワ３０を着脱自在に取付けてある。また、３次元立体映像信号変換装置４０は、その筐型の装置本体４１の前面に３つの調整用操作つまみ４２を設けてある。さらに、３次元立体映像信号変換装置４０には、ビデオテープレコーダ（ＶＴＲ）５０とシャッタ眼鏡付きの立体視装置６０とを接続してある。
【００１４】
図１〜図３に示すように、ビデオカメラ装置１のビデオカメラ本体２は合成樹脂等により筐型に形成してあり、該ビデオカメラ本体２には撮像部としての固体撮像素子（ＣＣＤ）３を内蔵してある。この固体撮像素子３で撮影した映像信号は、増幅器４と映像信号処理回路５及び映像記録／再生回路６を介してビデオカメラ本体２に内蔵されたＶＴＲ７により記録／再生されるようになっている。映像記録／再生回路６には液晶ドライブ回路８を介して小型モニタとしての液晶ディスプレイ（ＬＣＤ）９を接続してある。また、ビデオカメラ本体２の前面の固体撮像素子３に対向する位置には撮影レンズ１０を配置してあると共に、該前面の下側にはマイクロフォン１２を取付けてある。さらに、ビデオカメラ本体２の左側面には切換スイッチ１３を配設してあると共に、該ビデオカメラ本体２の背面上部には矩形枠型のスライド部（係止部）１４を設けてある。このスライド部１４には、図示しない拡大レンズの付いた通常撮影用のアイカップ１５を上下方向よりスライド着脱自在に取付けてある。
【００１５】
図２，図３に示すように、ビデオカメラ装置１のビデオカメラ本体２のフィルタ取付用ねじ部（マウント部）１１には、立体写真撮影用アダプタ２０を着脱自在に螺着されるようになっている。この立体写真撮影用アダプタ２０の外筐を形成する合成樹脂製等のケース２１の左右両側傾斜壁２１ａ，２１ｂの内面には、左右一対の平面ミラー２２Ｌ，２２Ｒを配置してある。また、ケース２１内の中央のついたて２３の後方には該ついたて２３とで三角筒状になると共に、上記一対の平面ミラー２２Ｌ，２２Ｒと概略平行に対向する左右一対の平面ミラー２４Ｌ，２４Ｒを配置してある。これにより、眼幅Ｄ（Ｄ≒６５ｍｍ）だけ離れた左右の眼から見たものに相当する映像が左半分、右半分に集光されて撮影レンズ１０に入るようになっている。また、上記ケース２１の後方（矩形の開口部２１ｃ側）の円筒部の上下部には各爪部（係止部）２５を一体突出形成してあり、該各爪部２５が上記ビデオカメラ本体２のフィルタ取付用ねじ部１１に着脱自在に螺着されるようになっている。
【００１６】
図１〜図３に示すように、ビデオカメラ装置１のビデオカメラ本体２のスライド部（係止部）１４には、立体視用ビューワ３０を上下方向より着脱自在に取付けてある。この立体視用ビューワ３０の外筐を形成する合成樹脂製等のケース３１の左右両側傾斜壁３１ａ，３１ｂの内面には、左右一対の平面ミラー３２Ｌ，３２Ｒを配置してあると共に、該ケース３１の平面逆Ｖ字状の中央壁部３２ｃの内面には上記一対の平面ミラー３２Ｌ，３２Ｒと概略平行に対向する左右一対の平面ミラー３４Ｌ，３４Ｒを配置してある。また、上記ケース３１の前部には平面略Ｃ状で正面中央部が矩形に開口した鉤部（係合部）３５を形成してあり、該鉤部３５が上記ビデオカメラ本体２のスライド部１４にスライド自在に着脱されるようになっている。さらに、ケース３１の左右一対のアイカップ部３６Ｌ，３６Ｒには、左右一対の拡大レンズ３７，３７を取付けてある。これにより、小型モニタとしての液晶ディスプレイ（ＬＣＤ）９に映し出された映像光が左右に分離されて一対の平面ミラー３２Ｌ，３２Ｒ及び３４Ｌ，３４Ｒで反射され、一対の拡大レンズ３７，３７により拡大されて立体視できるようになっている。
【００１７】
図３に示すように、３次元立体映像信号変換装置４０の装置本体４１の映像信号入力端子４１ａは、ビデオカメラ本体２の映像記録／再生回路６の映像信号出力端子６ａに接続されている。このビデオカメラ本体２の映像記録／再生回路６の映像信号の出力信号が３次元立体映像信号変換装置４０に入力されると、上記装置本体４１に内蔵された３次元立体映像信号変換回路４３により処理される。即ち、映像記録／再生回路６からの映像出力信号（ＯＵＴ）をＡ（アナログ）／Ｄ（ディジタル）信号変換回路４４によりＡ／Ｄ変換した後で２次元メモリー４５に記憶し、この中から操作つまみ４２及び同期分離回路（Ｓｙｎｃ  ＳＥＰ）４７を接続したタイミングコントローラ４８により任意のタイミングで任意の拡大率（基点Ｘ1，Ｘ2、拡大率Ｘ，Ｙとする）で画像を一旦拡大してから切り取るようにしてある。そして、この３次元立体映像信号変換回路４３により切り取られて、画面いっぱいに拡大された左眼用の映像信号と右眼用の映像信号は、フィールド毎に交互に左眼用の映像信号と右眼用の映像信号が入った３次元立体映像信号に変換され、Ｄ／Ａ信号変換回路４６を介して装置本体４１の映像信号出力端子４１ｂに一つの映像信号（Ｓ）として出力されるようになっている。
【００１８】
図３に示すように、ＶＴＲ５０と立体視装置としてのテレビジョン受像機６０とは、３次元立体映像信号変換装置４０の映像信号出力端子４１ｂにそれぞれ接続されている。このテレビジョン受像機６０では、そのブラウン管（画面）６１に映し出された例えば図４（Ｄ），（Ｅ）に示す左，右眼用の映像ｅL，ｅRをシャッタ付き眼鏡（特殊眼鏡）７０を使用して立体視するものである。即ち、シャッタ付き眼鏡７０のフレーム７１の左右のレンズ取付枠部分には、液晶シャッタ７２Ｌ，７２Ｒが入っていると共に、該フレーム７１の中央には図示しない受光部を取付けてある。この受光部は、テレビジョン受像機６０上に設置された赤外線発光装置６２からの同期信号をコード化した赤外線を受光するものである。そして、シャッタ付き眼鏡７０の受光部で赤外線発光装置６２の信号を受光し、シャッタ付き眼鏡７０の左右一対の液晶シャッタ７２Ｌ，７２Ｒを上記各映像ｅL，ｅRに合わせて交互に開閉することにより立体視できるようになっている。
【００１９】
以上第１の実施形態例のビデオカメラ装置１と３次元立体映像信号変換装置４０とＶＴＲ５０及びテレビジョン受像機６０からなる立体視システムを用いて、ビデオカメラ装置１で撮影した図４（Ａ）に示すような映像ａを立体視しようとする場合には、まず、図２に示すように、ビデオカメラ装置１のビデオカメラ本体２のフィルタ取付用ねじ部１１に立体写真撮影用アダプタ２０を取付けると共に、該ビデオカメラ本体２のスライド部１４に立体視用ビューワ３０を取付ける。そして、図４（Ａ）に示すような情景ａ（海を背景にした女性の映像）を撮影する。この時、立体写真撮影用アダプタ２０によって、図４（Ｂ）に示すように、右眼で見た映像ｂRと左眼で見た映像ｂLが、一枚の画面ｂに半分半分になるようにされ、撮影レンズ１０に入光される（ここで、女性に対し背景のヤシの木、ヨット、雲等が、その距離により左右の眼の視差のため微妙にずれている）。
【００２０】
この撮影レンズ１０を通った図４（Ｂ）に示す映像ｂはビデオカメラ本体２のＣＣＤ３に映って撮影される。そして、この映像ｂがビデオカメラ本体２に内蔵されたＶＴＲ７により記録／再生され、この際にビデオカメラ本体２の映像信号出力端子６ａから出力される。また、上記映像ｂは小型モニタとしてのＬＣＤ９にも映り、立体視用ビューワ３０によって映像ｂLは拡大されて左眼に、映像ｂRは拡大されて右眼で見れるようになり、拡大された映像ｂL，ｂRを合成した立体像を視覚者１００は立体視用ビューワ３０を覗くことにより見ることができる。ここで、ビデオカメラ本体２の切換スイッチ１３を切り換えることにより、図４（Ｃ）に示す映像ｃのハッチングのようにＬＣＤ９の画の上下を黒く隠して表示するようにしてもよい（また立体視用ビューワ３０の光学系により電気的にハッチング部を入れるかわりにどこまで写っているかの線等を光学的に入れるようにしてもよい）。このとき、左眼は映像ｄLを、右眼は映像ｄRを見て、その立体像を見ることになるので、画枠と立体の具合を立体視用ビューワ３０を通して視覚者１００は確認できる。
【００２１】
次に、上記ビデオカメラ本体２の映像出力信号（ＯＵＴ）が３次元立体映像信号変換装置４０に入力されると、３次元立体映像信号変換回路４３により処理される。即ち、図４（Ｃ）に示す映像ｃは、左眼用として映像ｄLの部分（左半分のハッチングの内側）が３次元立体映像信号変換回路４３により切り取られ、画面いっぱいに拡大され図４（Ｄ）に示す切り取り拡大映像ｅLのようになり、また、右眼用としては図４（Ｃ）の映像ｄRの部分（右半分のハッチングの内側）が３次元立体映像信号変換回路４３により切り取られ、画面いっぱいに拡大され図４（Ｅ）に示す切り取り拡大映像ｅRのようになる。そして、３次元立体映像信号変換装置４０の映像信号出力端子４１ｂからの出力信号としては、左眼用の画像ｅLと右眼用の映像ｅRがフィールド毎に交互に来るようになっている１つの映像信号Ｓとして出力される。図３に示すように、一つの映像信号Ｓは、通常の別のＶＴＲ５０によって録画／再生可能であり、シャッタ付き眼鏡７０を介してテレビジョン受像機６０で見れば、多人数で立体視できる。
【００２２】
次に、上記第１の実施形態例において、シャッタ付き眼鏡７０等のビューアを使用しないで、図８（Ｂ）に示す平行法或は図８（Ｃ）に示す交差法により裸眼で立体視できる機能について図３及び図８を用いて説明する。
【００２３】
図８（Ｂ）に示す平行法は、遠くをながめる視線、つまり平行に近い視線で見る方法をいい、３次元立体映像信号変換装置４０の映像信号出力端子４１ｂから出力されて小型のテレビジョン受像機６０′のブラウン管６１に映し出される左眼用の画像ｃLと右眼用の映像ｃRが眼幅Ｄ以下の場合に、上記各画像ｃL，ｃRをそのままの状態で上記平行法により裸眼立体視できる。
【００２４】
また、図８（Ｃ）に示す交差法は、寄り目にして、つまり視線を一番近いところで交差させて見る方法をいい、３次元立体映像信号変換装置４０の映像信号出力端子４１ｂから出力されて大型のテレビジョン受像機６０″のブラウン管６１に映し出される左眼用の画像ｃLと右眼用の映像ｃRが眼幅Ｄ以上の場合に、３次元立体映像信号変換装置４０によって左右の画像ｃL，ｃRを入れ換えて交差法によって裸眼立体視できる。もちろん、図８（Ｃ）に示す交差法での映像を、３次元立体映像信号変換装置４０で処理すれば平行法用にすることもできる。要は、立体写真型映像について、３次元立体映像信号変換装置４０を使って左右に入れ換えて、大型モニタに映し出して交差法で該大型モニタの中央に顔を置き、シャッタ付き眼鏡７０等の器具を使わず裸眼立体視することにより簡易的に立体を楽しんだり、または、左右を入れ換えて平行法により簡易的に裸眼立体視できるものである。
【００２５】
図５は、第２の実施形態例を示す。この第２の実施形態例は、ビデオカメラ装置１と３次元立体映像信号変換装置４０′と２映像信号同時記録再生型のＶＴＲ５０′及び液晶プロジェクタ８０Ｌ，８０Ｒ等からなる立体視システムである。この立体視システムを、図５を用いて説明すると、ビデオカメラ装置１は前記第１の実施形態例の構成と同じであり、３次元立体映像信号変換装置４０′が一対の３次元立体映像信号変換回路４３，４３を有している点が異なる（同一構成部分には同一符号を付して詳細な説明は省略する）。この一対の３次元立体映像信号変換回路４３，４３により、図４（Ｄ）のような左眼用の映像信号ＳＬと、図４（Ｅ）のような右眼用の映像信号ＳＲの２つの独立した映像信号を３次元立体映像信号変換装置４０′の装置本体４１の各映像信号出力端子４１ｂから出力する。そして、いわゆるＷ−ＶＨＳのような２映像信号同時記録再生型のＶＴＲ５０′により上記２つの映像信号ＳＬ，ＳＲは録画／再生され、この再生時に偏光方向が横，縦方向の各偏光板８１Ｌ，８１Ｒを備えた２台の液晶プロジェクタ８０Ｌ，８０Ｒによりスクリーン８２上にそれぞれ偏光方向を直交させた画像を投影する。これを偏光眼鏡（特殊眼鏡）９０で見ることにより、大勢の観察者１００が立体視を簡単に楽しむことができる。
【００２６】
図６，図７は、第３の実施形態例を示す。この第３の実施形態例のビデオカメラ装置１′とテレビジョン受像機６０からなる立体視システムは、ビデオカメラ装置１′のビデオカメラ本体２′内に３次元立体映像信号変換装置４０′を内蔵し、且つＶＴＲ５０を不要とした点が前記第１の実施形態例と異なる（同一構成部分には同一符号を付して詳細な説明は省略する）。この立体視システムのブロック図を図７に示す。ここで、通常のビデオカメラとしてビデオカメラ装置１′を使う時は、３つの切換スイッチ１６〜１８を図７中右側にすればよい。この３つの切換スイッチ１６〜１８を図７に示すように左側に切り換えると、立体写真（ステレオペア）型の映像がＣＣＤ３で映し出され、映像処理回路５から出力される。そして、ビデオカメラ本体２′の映像信号出力端子４１ｂ′からの出力又は内蔵のＶＴＲ７へは、フィルド毎に左眼／右眼の映像が入った映像信号となる。ここで、３次元立体映像信号変換装置４０′は独立したものになっているが、カメラブロックの基板等にその一部として機能するように組み込んでもよいし、メモリ等を兼用するようにしてもよい。
【００２７】
以上のように、前記各実施形態例によれば、通常のビデオカメラ装置１，１′のビデオカメラ本体２，２′に立体写真撮影用アダプタ２０を付けることで、立体写真型映像が撮れ、これは１台のビデオカメラでズームなどもできて誰でも簡単に撮れる。これをビデオカメラ装置１，１′に設けられた３次元立体映像信号変換装置４０，４０′で処理することにより、フィールド毎の左右の映像信号や左右別々の２映像立体信号にすることができるので、シャッタ眼鏡式や２台プロジェクタ式などの本格的立体映写システムで映し出せることになり、多くの人が一緒に立体映像を楽しむことができる。また、３次元立体映像信号変換装置４０で処理された映像を、平行法から交差法に変換して見ることができるので、一人で楽しむときは大画面でシャッタ付き眼鏡等の機器なしで簡単且つ低コストで楽しむことができる。
【００２８】
尚、前記各実施形態例に用いた３次元立体映像信号変換装置４０，４０′によれば、Ａ／Ｄ信号変換回路４４及びＤ／Ａ信号変換回路４６によりＡ／Ｄ，Ｄ／Ａ変換しているが、ビデオカメラがディジタル信号で処理される場合やＶＴＲがディジタルＶＴＲの場合はディジタルのまま処理すればよいので、上記Ａ／Ｄ信号変換回路４４及びＤ／Ａ信号変換回路４６はそれぞれ不要となる。
【００２９】
以上のように、この発明のビデオカメラ装置によれば、ビデオカメラ本体に少なくとも１つの撮像部と該撮像部で撮像された映像を表示するモニタ部を有すると共に、上記ビデオカメラ本体に、立体写真型の３次元立体映像信号を、フィールド毎に交互に右眼用、左眼用の映像信号が入った３次元立体映像信号に変換する３次元立体映像信号変換装置を設けたビデオカメラ装置であって、上記撮像部の撮影レンズの前方に、片方の眼用の映像を画面の右半分に、他方の眼用の映像を画面の左半分に、それぞれ映るようにした立体写真撮影用アダプタを備え、この立体写真撮影用アダプタを介して撮像部で立体写真型の３次元立体映像を撮影すると共に、撮像部からの立体写真型の映像出力を、上記３次元立体映像信号変換装置により処理して、画面の最大限の大きさに拡大されたフィールド毎に交互に右眼用、左眼用の映像信号が入った３次元立体映像信号に変換するように構成して、１つの上記ビデオカメラ本体だけで、フィールド毎に交互に右眼用、左眼用の映像信号が入った３次元立体映像信号が出力されるように構成するか、または、右眼用の画面の最大限の大きさに拡大された映像信号と、左眼用の画面の最大限の大きさに拡大された映像信号からなる２つの映像信号に変換するように構成して、１つの上記ビデオカメラ本体だけで、右眼用の映像信号と左眼用の映像信号の２つの独立した映像信号からなる３次元立体映像信号が出力されるように構成すると共に、上記ビデオカメラ本体のスイッチを切り換えることにより、上記処理された後の映像がどこまで写っているかを表示した上記立体写真型の３次元立体映像を上記モニタ部に映すように構成したので、立体写真型では、テレビ画面等の画面に対して中央の位置からしかも縦長の画面でしか見えなかったものを、シャッタ付き眼鏡や偏光眼鏡等の特殊眼鏡をかけることにより、たくさんの人が同時に、しかも横長の画面で見ることができると共に、上記ビデオカメラ本体のスイッチを切り換えることにより、上記処理された後の映像がどこまで写っているかを表示した上記立体写真型の３次元立体映像をモニタ部に映すことができるので、立体映像を簡単且つ確実に撮影することが可能となる。
【００３０】
また、３次元立体映像信号変換装置がビデオカメラ本体に設けられているので、このビデオカメラ装置の撮影レンズの前に立体写真撮影用アダプタを付けるだけの簡単な作業で、フィールド毎に交互に右眼用の拡大された画面と左眼用の拡大された画面がくるようにした映像信号を出力したり、ＶＴＲ等の記録再生装置で記録再生したりすることが可能となり、簡易な装置により立体映像を簡単に且つ低コストで楽しむことができる。
【図面の簡単な説明】
【図１】この発明の第１の実施形態例を示すビデオカメラ装置及び３次元立体映像信号変換装置の斜視図。
【図２】上記ビデオカメラ装置のビデオカメラ本体と、該ビデオカメラ本体に着脱される通常撮影用のアイカップと立体写真撮影用アダプタ及び立体視用ビューワの斜視図。
【図３】上記ビデオカメラ装置と３次元立体映像信号変換装置とＶＴＲ及びテレビジョン受像機からなる立体視システムのブロック図。
【図４】（Ａ）は上記ビデオカメラ装置で撮影する背景の説明図、（Ｂ）は同ビデオカメラ装置のＣＣＤで撮影される左右の映像の説明図、（Ｃ）は同左右の映像を切る取る際の説明図、（Ｄ）は同切る取られて拡大された左眼用の映像の説明図、（Ｅ）は同切る取られて拡大された右眼用の映像の説明図。
【図５】第２の実施形態例の３次元立体映像信号変換装置等からなる立体視システムのブロック図。
【図６】第３の実施形態例の３次元立体映像信号変換装置を内蔵したビデオカメラ装置の斜視図。
【図７】上記第３の実施形態例の３次元立体映像信号変換装置を内蔵したビデオカメラ装置とＶＴＲ及びテレビジョン受像機からなる立体視システムのブロック図。
【図８】（Ａ）は左眼用の映像と右眼用の映像を同時に画面に映し出した状態を示す説明図、（Ｂ）は平行法による立体視の状態を示す説明図、（Ｃ）は交差法による立体視の状態を示す説明図。
【符号の説明】
１，１′…ビデオカメラ装置
２，２′…ビデオカメラ本体
３…固体撮像素子（撮像部）
１０…撮影レンズ
２０…立体写真撮影用アダプタ
４０，４０′…３次元立体映像信号変換装置
Ｓ，ＳＬ，ＳＲ…立体映像信号
【図１】
0003543455.tif 000002
【図２】
0003543455.tif 000003
【図３】
0003543455.tif 000004
【図４】
0003543455.tif 000005
【図５】
0003543455.tif 000006
【図６】
0003543455.tif 000007
【図７】
0003543455.tif 000008
【図８】
0003543455.tif 000009